(57)【特許請求の範囲】
【請求項１】
壁に縦向きに止着される一対の柱状体と、上下方向に移動可能に当該柱状体間に掛け渡されてＡＶ機器におけるフラットパネルディスプレイを支持する支持部材とを備えており、
この柱状体が、その内部にコード類やケーブル類等の案内される縦向きの通し空間を備え、しかも、この通し空間と外部とを連通する通し穴を備えていることを特徴とするＡＶ機器設置用装置。
【請求項２】
前記各柱状体間の床面に、コード類やケーブル類等の通し穴を備えたボックス状収納体を設置し得るようにしてあることを特徴とする請求項１に記載のＡＶ機器設置用装置。
【請求項３】
前記フラットパネルディスプレイが受信機能を備えた薄型テレビジョンであることを特徴とする請求項１または請求項２に記載のＡＶ機器設置用装置。
【発明の詳細な説明】
【技術分野】
【０００１】
この発明は、壁面に沿って各種のＡＶ機器におけるフラットパネルディスプレイを容易かつ確実に設置し、居住空間を効率良く用い得るようにすると共にＡＶ機器における機能的変化や形態的変化に効果的に対応して用いることのできるＡＶ機器設置用装置の提供に関する。
【背景技術】
【０００２】
テレビジョンを始め多くのＡＶ機器が各家庭内において日常的に使用されており、多くの場合、例えば、壁等に沿って、これらの各種ＡＶ機器のそれぞれに対応する専用のキャビネット類を並べ、この各キャビネットにそれぞれのＡＶ機器を収納したり設置したりして用いていた。
【０００３】
しかしながら、このように各ＡＶ機器毎に専用のキャビネットを設置してＡＶ機器を用いる手法にあっては、多くの居住スペースが当該ＡＶ機器の設置のために用いられることとなり、快適な居住性を損なう不具合があり、また、各ＡＶ機器設置キャビネット相互における統一性がなく、居住空間の意匠性を著しく損なう不具合があった。
【０００４】
一方で、近時、例えば、テレビジョンにおけるフラットパネルディスプレイを中心にして各種のＡＶ機器をシステム的に構成する要請が増加する傾向にあり、テレビジョン用の所謂テレビ台では対応し切れない不具合があった。
【０００５】
かかる点から、特許文献１では、複数のローボード型家具で構成されるべースユニットと、複数のラック型家具で構成されるトップユニットを、上下に配置して構成したユニット家具において、トップユニットをトールラック及びスクリーンラックで正面視門状に構成し、扉により閉塞される内部に連続する門状の配線空間を形成し、しかも、べースユニットにはＡＶボードを備え、その天板の少なくとも一部を開放可能とし、更に、スピーカを収納するためのスピーカ収納部を設け、音が通過可能なカバーを取り付げたユニット家具が開発されている。
【特許文献１】特開２００４−８１５３８
【発明の開示】
【発明が解決しようとする課題】
【０００６】
しかしながら、このように家具によってＡＶ機器を設置する手法にあっては、当該ＡＶ機器における表示手段としてのディスプレイの大型化に見合って、当該家具を大型化する必要があり、壁面に沿って設置されたテレビジョンであっても当該壁面の前方に大きく家具の設置スペースが必要とされていた。
【０００７】
また、かかる家具によるＡＶ機器の設置手法にあっては、ＡＶ機器の大型化、例えば、ディスプレイの大型化に対応して、当該ディスプレイの荷重を確実に支持し得る強度を備えた家具を用意する必要があり、設置家具に多くの構造的な制約を生じ、しかも、当該家具の製作コストが割高になる不具合があった。
【０００８】
また、このように大型のディスプレイを有するＡＶ機器を設置されている家具は地震時等における転倒に伴う事故を誘起する不具合があり、有効な転倒防止策を講ずる必要があった。
【０００９】
また、近時におけるＡＶ機器は、その機能面においても、また、形態面においても変化するサイクルが短く、一旦、家具としてセットされた場合、短サイクルで変化するＡＶ機器の新設や、増設、あるいは高機能機器への変更等に効果的に対応し切れない不具合があった。
【００１０】
この発明は、かかる従来におけるＡＶ機器の設置に伴う不具合を解消し、大型化されるＡＶ機器を壁面に沿って必要最小限の設置スペースで設置し得ると共に大型かつ重量物として構成されたフラットパネルディスプレイであっても、確実に、しかも、見易い高さに容易に設置し得る簡易な装置の提供をなそうとするものである。
【課題を解決するための手段】
【００１１】
この発明は、かかる課題を解決するために、壁に縦向きに止着される一対の柱状体と、上下方向に移動可能に当該柱状体間に掛け渡されてＡＶ（Ａｕｄｉｏｖｉｓｕａｌ）機器におけるフラットパネルディスプレイを支持する支持部材とを備えており、
この柱状体が、その内部にコード類やケーブル類等の案内される縦向きの通し空間を備え、しかも、この通し空間と外部とを連通する通し穴を備えていることを特徴とするＡＶ機器設置用装置としてある。
【００１２】
このように構成されるＡＶ機器設置用装置にあっては、壁に止着されている柱状体間に確実にフラットパネルディスプレイを支持した状態でＡＶ機器を設置し得ることから、大型化されたフラットパネルディスプレイを有するＡＶ機器を設置する際にも、当該フラットパネルディスプレイを支持するに必要とされる底面積を備えた家具が不要とされ、フラットパネルディスプレイを壁面に近接して設置することができ、居住空間における床面を効率良く用いることができる。
【００１３】
また、ＡＶ機器の新設、増設、交換等にあっても、この各柱状体間に備えられるフラットパネルディスプレイを中心にして容易に対応し得ると共に、当該フラットパネルディスプレイの高さ位置の変更や、当該フラットパネルディスプレイ自体の容易な取り替え設置を可能とし、適宜必要に応じてＡＶ機器を統一されたシステムとして構成することができる。
【００１４】
また、ＡＶ機器の大型化、特に、フラットパネルディスプレイの大型、重量物化に対しても、比較的簡易な構成からなる装置によって、当該フラットパネルディスプレイを確実かつ安全に支持、設置することができる。
【００１５】
また、前記構成からなるＡＶ機器設置用装置における前記各柱状体間の床面に、コード類やケーブル類等の通し穴を備えたボックス状収納体を設置し得るようにしてある構成としたＡＶ機器設置用装置にあっては、前記特長に併せて、各種ＡＶ機器に適合するボックス状収納体を当該柱状体間に単に置くだけで当該ＡＶ機器を都合良く収納し、あるいは、載せ置いて用いることができ、ＡＶ機器を効率よく、しかも、外観体裁を整えた状態で用い得ると共に、ＡＶ機器の変更等に容易に追随変更することができる。
【発明の効果】
【００１６】
この発明に係るＡＶ機器設置用装置は、簡易で、かつ、低廉な設備コストで設置することのできる装置を用いて大型化、重量物化されたフラットパネルディスプレイを有するＡＶ機器を確実に、しかも、使い勝手の良い状態に設置し得ると共に、当該フラットパネルディスプレイを壁に近接させた状態に設置してＡＶ機器の設置に必要とされる床スペースを必要最小限として、ＡＶ機器を備えた快適な居住空間を構成できる利点を有し、また、ＡＶ機器の新設や増設あるいは交換等に容易に対応できる利点を有している。
【発明を実施するための最良の形態】
【００１７】
以下、この発明を実施するための最良の形態に係るＡＶ機器設置用装置Ａについて説明する。
【００１８】
なお、ここで図１〜図３は当該発明を実施するための最良の形態に係る典型的なＡＶ機器設置用装置Ａを示すものであって、図１は、当該ＡＶ機器設置用装置Ａの部品を分離して斜め上方から見て、図２は、このＡＶ機器Ｂを設置した当該装置Ａを正面側から見て、更に、図３は、壁５０に沿って設置されている当該装置ＡにＡＶ機器Ｂを設置した状態を平断面して上方から見て示している。
【００１９】
まず、この発明を実施するための最良の形態に係るＡＶ機器設置用装置Ａは、壁５０に縦向きに止着される一対の柱状体１０と、上下方向に移動可能に当該柱状体１０間に掛け渡されてＡＶ（Ａｕｄｉｏｖｉｓｕａｌ）機器ＢにおけるフラットパネルディスプレイＢａを支持する支持部材２０とを備えており、
この柱状体１０が、その内部にコード類やケーブル類等の案内される縦向きの通し空間１４を備え、しかも、この通し空間１４と外部とを連通する通し穴１５を備えていることを特徴とするＡＶ機器設置用装置Ａとしてある。なお、ここでコード類やケーブル類等６０は各種のＡＶ機器の電源コード、各種ＡＶ機器相互の接続用コード、電話線等のコード類や、ＡＶ機器相互の接続用ケーブルやアンテナ線のケーブルや通信ケーブル等のケーブル類等を意味している。
【００２０】
ここで用いられる柱状体１０は、壁５０に対して縦向きに止着されて、フラットパネルディスプレイＢａを支持する支持部材２０を上下方向に移動可能に備え得る一対の柱状体１０としてあり、しかも、この柱状体１０が、その内部にＡＶ機器Ｂの設置に必要とされるコード類やケーブル類等６０を通し得る通し空間１４を備え、かつ、この通し空間１４と外部とを連通する通し穴１５を備えた構成としてあれば、いかなる構成としてあってもよく、また、いかなる素材によって構成してあってもよい。
【００２１】
例えば、当該柱状体１０を角形鋼管、角筒状アルミ押出形材等の各種角筒状体によって構成してあっても、また、例えば、平断面がコ字状をなす溝形鋼や平断面がコ字状をなす溝形のアルミ押出形材等の柱本体部分と当該柱本体部分における溝状開口部を塞ぐ板状部材との接合によって構成してあっても、また、例えば、Ｈ形鋼や平断面がＨ字状をなすアルミ押出形材等の柱本体部と、当該柱本体部分に組合せ用いられる化粧板材とによって構成してあっても、また、例えば、山形鋼や平断面がＬ字状をなすアルミ押出形材等の柱本体部と、当該柱本体部に組合せ用いられる化粧板材によって構成する等、各種形状の、かつ、各種素材によって構成してあってよい。
【００２２】
また、かかる柱状体１０間に備えられて上下方向に移動可能に組み付けられる支持部材２０は、前記各柱状体１０と共にＡＶ機器ＢにおけるフラットパネルディスプレイＢａを保持し得るものであれば、いかなる構成としてあっても、また、いかなる素材によって構成してあってもよい。
【００２３】
かかる支持部材２０は、ＡＶ機器ＢにおけるフラットパネルディスプレイＢａを都合良く支持して、その荷重を受け得る強度を備え、かつ、当該フラットパネルディスプレイＢａを傾きなく組み付け得る各種形態の支持部材２０によって構成してあればよく、例えば、当該各柱状体１０間にわたるように備えられる一枚あるいは複数枚のプレートによって構成してあっても、また、例えば、当該各柱状体１０間にわたるように備えられる一本あるいは複数本のロッドによって構成してあっても、また、これらの各柱状体１０間にわたるように備えられるプレートやロッドに対して当該フラットパネルディスプレイＢａを組み付け得るプレートやロッド等を止着したフレーム体として構成してあっても、さらに、当該各柱状体１０間にわたるように備えられるプレートやロッドに対してフラットパネルディスプレイＢａにおける面を上下方向に傾動調整可能に組み付け得る構成等、いかなる態様に構成してあってもよい。
【００２４】
かかる支持部材２０の上下方向に向けた移動調整は、この支持部材２０を上下方向に平行移動して、目的とする高さ位置において当該支持部材２０を各柱状体１０に停止状態に維持し得るものであれば、いかなる態様の移動調整手段であってもよく、手動による当該支持部材２０の移動調整であっても、適宜の駆動手段による当該支持部材２０の移動調整であってもよい。例えば、前記各柱状体１０における向き合っている面に一条あるいは複数条の縦溝を設け、この溝に支持部材２０の各側端部を差し入れて当該支持部材２０を上下方向に平行移動し得るようになすと共に目的とする高さ位置に当該支持部材２０を停止状態に維持し得る手段を設けるようにしてあっても、また、前記各柱状体１０における向き合っている面に一条あるいは複数条の縦向きのリブを設け、このリブを当該支持部材２０の側端部に備えられた溝状部内に受け入れて当該支持部材２０を上下方向に平行移動し得るようになすと共に目的とする高さ位置に当該支持部材２０を停止状態に維持し得る手段を設ける等、いかなる態様に構成してあってもよい。
【００２５】
また、前記柱状体１０の壁５０に対する止着は、当該柱状体１０が壁５０に対して確実に止着されて、ＡＶ機器ＢにおけるフラットパネルディスプレイＢａを組み付け用いる際に当該柱状体１０が壁５０に確実に支持されておれば、いかなる形態で壁５０に止着されていてもよく、例えば、当該柱状体１０を壁５０を構成する柱等の構造材や各種壁下地材等に対して木ねじ等で止着する等、いかなる態様において止着してあってもよい。
【００２６】
また、前記柱状体１０に備えられた通し空間１４は、コード類やケーブル類等６０を通し得る構成からなるものであれば、いかなる構成からなるものであってもよく、当該柱状体１０における上下方向の全幅にわたるように設けてあっても、また、当該柱状体１０における上下方向の一定幅部分にのみ設けるようにしてあってもよい。また、かかる通し空間１４は、柱状体１０を筒体によって構成して当該筒体の内部空間として構成してあっても、また、柱状体１０を複数の構成材によって構成し、これらの各構成材の組み付けによる囲まれた内部空間として構成してあってもよい。
【００２７】
また、この柱状体１０の通し空間１４と外部とを連通して前記コード類やケーブル類等６０の案内される通し穴１５は、この柱状体１０における上下方向において各設置ＡＶ機器に電源を都合よく供給したり、設置される各ＡＶ機器相互を都合よく接続する等各コード類やケーブル類等６０を柱状体１０における通し空間１４に都合よく案内し得る位置に設けてあればよく、例えば、当該柱状体１０の上下方向にわたって所定間隔毎に設けるようにしてあっても、また、必要とされる位置にのみ設けるようにしてあってもよい。また、かかる通し穴１５は、柱状体１０を筒体によって構成し、この筒体に穿つように設けてあっても、また、柱状体１０を複数の構成材によって通し空間１４を備えるように構成し、その一つの構成材に凹状欠切部を設けると共に当該凹状欠切部の開口側に備えられる他の構成材によって当該凹状欠切部の開口を塞ぐことによって構成する等、いかなる構成からなるものであってもよい。
【００２８】
かかる柱状体１０に移動可能に支持される支持部材２０に組み付けられるフラットパネルディスプレイＢａは、各種のＡＶ機器Ｂにおけるディスプレイとして機能し得るものであれば、いかなる形態のフラットパネルディスプレイであってもよく、例えば、放送信号を受信する受信機を備えたフラットパネルディスプレイ、所謂、薄型テレビジョンＢ’としてあっても、また、例えば、かかる受信機を別段に備えると共に当該受信器から送られる放送信号に対応して映像表示する表示部としてのフラットパネルディスプレイとしてあっても、また、例えば、別段に備えられるＤＶＤプレーヤ、ビデオテープレコーダ等の各種情報再生装置のディスプレイとしてのフラットパネルディスプレイ等、いかなる態様のＡＶ機器対応のフラットパネルディスプレイとして構成してあってもよい。
【００２９】
このように構成されるＡＶ機器設置用装置Ａにあっては、壁５０に止着されている柱状体１０間に確実にフラットパネルディスプレイＢａを支持した状態でＡＶ機器Ｂを設置し得ることから、大型化されたフラットパネルディスプレイＢａを有するＡＶ機器Ｂを設置する際にも、当該フラットパネルディスプレイＢａを支持するに必要とされる底面積を備えた家具が不要とされ、フラットパネルディスプレイＢａを壁面に近接して設置することができ、居住空間における床面を効率良く用いることができる。
【００３０】
また、ＡＶ機器Ｂの新設、増設、交換等にあっても、この各柱状体１０間に備えられるフラットパネルディスプレイＢａを中心にして容易に対応し得ると共に、当該フラットパネルディスプレイＢａの高さ位置の変更や、当該フラットパネルディスプレイＢａ自体の容易な取り替え設置を可能とし、適宜必要に応じてＡＶ機器Ｂを統一されたシステムとして構成することができる。
【００３１】
また、ＡＶ機器Ｂの大型化、特に、フラットパネルディスプレイＢａの大型化、重量物化に対しても、比較的簡易な構成からなる装置によって、当該フラットパネルディスプレイＢａを確実かつ安全に支持、設置することができる。
【００３２】
また、前記構成からなるＡＶ機器設置用装置Ａにおける前記各柱状体１０間の床Ｃ面に、コード類やケーブル類等６０の通し穴を備えたボックス状収納体４０を設置し得るようにしてある構成としたＡＶ機器設置用装置Ａにあっては、前記特長に併せて、各種ＡＶ機器Ｂに適合するボックス状収納体４０を当該柱状体１０間に単に置くだけで当該ＡＶ機器Ｂを都合良く収納し、あるいは、載せ置いて用いることができ、ＡＶ機器Ｂを効率よく、しかも、外観体裁を整えた状態で用い得ると共に、ＡＶ機器Ｂの変更等に容易に追随変更することができる。
【００３３】
かかるＡＶ機器設置用装置Ａに組合せ用いられるボックス状収納体４０は、当該装置に設置される各種のＡＶ機器Ｂの特長に対応して、これらの設置対象ＡＶ機器Ｂを使い勝手の良い状態に、しかも、外観体裁の良い状態で容易に組み付けセットし得る形態を備えたものであれば、一個のボックス状収納体によって構成してあっても、また、同一形状あるいは各種形状の複数のボックス状収納体によって構成してあってもよい。また、かかる、ボックス状収納体４０は、当該ボックス状収納体を構成するユニットを用意し、この各柱状体１０間に構成設ける等、いかなる態様に設けてあってもよい。
【００３４】
ついで、図１〜図３に示される具体的なＡＶ機器設置用装置Ａについて詳細に説明する。
【００３５】
この図１〜図３に示されるＡＶ機器設置用装置Ａは、当該ＡＶ機器設置用装置Ａの具体的な一例であって、壁５０に縦向きに止着される一対の柱状体１０と、上下方向に移動可能に当該柱状体１０間に掛け渡されてＡＶ（Ａｕｄｉｏｖｉｓｕａｌ）機器ＢにおけるフラットパネルディスプレイＢａを支持する支持部材２０とを備えており、この柱状体１０が、その内部にコード類やケーブル類等６０の案内される縦向きの通し空間１４を備え、しかも、この通し空間１４と外部とを連通する通し穴１５を備えた構成としてある。
【００３６】
まず、このＡＶ機器設置用装置Ａにおける柱状体１０の主要な構成部分を、この図示例にあっては、鋼材やアルミの押出形材等の十分な耐荷重強度を備える溝状柱本体部１１によって構成してある。この溝状柱本体部１１は、平面視でほぼコ字状をなす、所謂、溝形鋼や、断面コ字状のアルミ押出形材等を用意し、溝を室内側に向けるようにして壁５０に背板部１１ａを添装した状態で孔１１ｄから木ねじ１６を壁５０を構成する柱５１や間柱５２や当該壁５０を構成する壁下地材等にねじ入れて止着して用いるようにしてある。この図示例にあっては、かかる溝状柱本体部１１を対として用意し、設置対象ＡＶ機器Ｂに対応した間隔を離した状態で、壁５０を構成する柱５１に木ねじ１６をねじ入れて当該溝状柱本体部１１を壁５０に止着してある。
【００３７】
このように溝を前方に向けるようにして壁５０に止着される溝状柱本体部１１は、互いに向き合うように前記背板部１１ａから前方に屈曲して延びている一対の側板部１１ｂ、１１ｂを備えており、壁５０に対して対をなすように止着される当該各溝状柱本体部１１、１１における互いに向き合う側にある側板１１ｂにおける互いに向き合う面に、その下部側を除いて、縦向きに樋状保持材１２が、その溝状ガイド部１２ｃの溝面を向き合わせるように設けてある。
【００３８】
このように各溝状柱本体部１１、１１において互いに向き合う側板部１１ｂに上下方向に向けて溝状ガイド部１２ｃを設けるように備えられる樋状保持材１２は、平断面形状がコ字状をなすＣ形チャンネル材等によって構成してあり、この側板部１１ｂに溶接等によって一体に止着される底板部１２ａと、この底板部１２ａの両側からほぼ直角に屈曲するように備えられた一対の側板部１２ｂ、１２ｂとによって溝状ガイド部１２ｃが互いに向き合うように設けてあり、この溝状ガイド部１２ｃ、１２ｃに支持プレート２１のそれぞれの端部を受け入れるようにして、当該支持プレート２１を柱状体１０、１０間で上下方向に平行移動し得るように組み付けてある。
【００３９】
かかる樋状保持材１２は、支持プレート２１における両端部をがたなく受け入れ得るに都合の良い溝幅となるように前記溝状ガイド部１２ｃを各側板１２ｂ、１２ｂ間に構成するようにしてある。
【００４０】
また、この互いに向き合って溝状ガイド部１２ｃを構成する各側板１２ｂ、１２ｂには、当該溝状ガイド部１２ｃ内に受け入れられる支持プレート２１に備えられている孔２１ａに連通し得る態様に支持孔１２ｄが、その上下方向にわたって所定間隔毎に設けてあり、溝状ガイド部１２ｃに組み入れた支持プレート２１を適宜の位置決め支持具１７、例えば、この各側板１２ｂ、１２ｂの支持孔１２ｄと当該溝状ガイド部１２ｃに受け入れられた支持プレート２１の孔２１ａとに当該位置決め支持具１７におけるボルト１７ａを挿通し、これをナット１７ｂで固定するようにして、支持プレート２１を柱状体１０における任意高さ位置に支持し得るようにしてある。
【００４１】
このように壁５０に備えられる溝状柱本体部１１は、当該壁５０に対して、より確実に支持され得るように対をなす各溝状柱本体部１１の向き合っている側板部１１ｂ相互を足繋ぎ材３１によって連結してある。かかる足繋ぎ材３１は、細長いプレート状に構成してあると共に、両端部を上方に起立させて起立板部３１ａとしてあって、この起立板部３１ａに備えられている孔３１ｂから前記溝状柱本体部１１の側板部１１ｂの雌ねじ孔１１ｆにビスをねじ入れて当該溝状柱本体部１１相互を連結するようにしてある。
【００４２】
また、この壁５０に備えられている溝状柱本体部１１における前面側と側面側とを覆い隠すように平面視でＬ字状をなす化粧材１３を用意し、この化粧材１３における側板部１３ｂで前記溝状柱本体部１１の外側に位置している側板部１１ｂを覆い隠すように、この側板部１３ｂに設けられている孔１３ｃからビス１８を前記雌ねじ孔１１ｅにねじ入れて止着してある。また、この化粧材１３における前板部１３ａを前記溝状柱本体部１１における各側板部１１ｂ、１１ｂの前方を覆って内側に位置している側板部１１ｂを超えて更に内側に延びる構成として、当該溝状柱本体部１１の前面側を、やや幅広に覆い隠すようにしてあり、この化粧材１３によって支持部材２０の取り付け部分や、各種ＡＶ機器Ｂにおける各種コード類や各種ケーブル類等６０を都合良く隠し得るようにしてある。
【００４３】
かかる化粧材１３を溝状柱本体部１１に組み付けることによって、この化粧材１３の前板部１３ａと前記溝状柱本体部１１とで囲まれた縦向きの通し空間１４が構成され、この通し空間１４を利用して、ＡＶ機器Ｂの電源コードや電話線やＡＶ機器相互を接続する各種コード類や、ＡＶ機器相互を接続する各種ケーブルや通信ケーブルやアンテナケーブル等の各種コード類やケーブル類等６０を収納状態に挿通させることができる。また、この通し空間１４と外部とを連通させる通し穴１５を前記溝状柱本体部１１の側板部１１ｂの欠切部１１ｃと化粧材１３の前板部１３ａとによって構成してあり、この通し穴１５から前記通し空間１４を介して他の通し穴１５に前記コード類やケーブル類等６０を案内するようにして各種ＡＶ機器Ｂの設置をなすことができる。
【００４４】
この図示例にあっては、溝状柱本体部１１における内側に位置している側板部１１ｂ、すなわち、対をなすように設置されている溝状柱本体部１１における互いに向きあっている側板部１１ｂの前端部に、上下方向にわたって複数個の欠切部１１ｃを設け、この溝状柱本体部１１の前面側を覆うように組み付けられる化粧材１３の前板部１３ａによって、当該欠切部１１ｃの開口を塞ぐようにして前記通し空間１４に連通する通し穴１５を構成するようにしてある。
【００４５】
また、この化粧材１３の組み付けられた溝状柱本体部１１の上端部に側面Ｌ字状をなす取付金具３３が溶接してあり、この溝状柱本体部１１の上面と面一に備えられている取付金具３３の雌ねじ孔３３ａに、化粧天板３２の両端部に設けられている孔３２ａからビスをねじ入れて当該化粧天板３２を溝状柱本体部１１に組み付けて柱状体１０を構成してある。
【００４６】
このように構成される一対の柱状体１０、１０間にわたるよう備えられている支持部材２０は、当該各柱状体１０、１０間に横架状態に備えられて、上下方向に平行移動可能としてあり、しかも、所定高さ位置において停止状態に維持し得る構成としてあって、各種のフラットパネルディスプレイＢａ、この図示例にあっては受信機を一体に備えた薄型液晶テレビジョンや受信機を一体に備えた薄型プラズマテレビジョン等の薄型テレビジョンＢ’を当該柱状体１０、１０間に備え付け得る構成としてある。
【００４７】
かかる支持部材２０は、この図示例にあっては、上下方向に所定の間隔を離して備えられる一対の支持プレート２１、２１と、この一対の支持プレート２１、２１を所定の間隔を離して一体的に連結するように当該支持プレート２１、２１に対して直交する向きに所定の間隔を離して備えられる一対の組み付けプレート２２、２２とによって一体的に構成されている。
【００４８】
この支持部材２０を構成する支持プレート２１は、細長板状に構成してあり、板面が前後方向を向くように各柱状体１０における各樋状保持部１２における溝状ガイド部１２ｃに、その両側の側端部をそれぞれ差し入れて、上下方向に向けてがたなく平行移動し得るように組み付けてある。また、この支持プレート２１は、その両側端部に前後方向に貫通する孔２１ａを備えていると共に、前後方向に貫通する横向きの長孔２１ｂを当該支持プレート２１の長手方向にわたって複数個備えている。
【００４９】
かかる支持プレート２１と共に支持部材２０を構成する縦向きの組み付けプレート２２は、細長板状に構成してあり、前後方向に貫通する複数の孔２２ａを、その長手方向にわたって備えており、前記各支持プレート２１、２１を所定間隔を離した状態になすと共に、一対の組み付けプレート２２、２２を所定間隔幅して当該支持プレート２１の面に該組み付けプレート２２の面を接するようになし、各支持プレート２１の長孔２１ｂと当該各組み付けプレート２２における孔２１ｂとを用いて適宜の組み付け手段２３、例えば、ボルト、ナットを用いて両者一体的に組み付け、組外し可能に組み付け用いる。
【００５０】
このように組み付けプレート２２を一体的に備えられて各柱状体１０、１０間を上下方向に移動可能に組み付けられている支持部材２０は、支持プレート２１の各側端部を、この側端部に対応しているそれぞれの溝状ガイド部１２ｃに入れ込んであり、支持部材２０を上下方向に移動して、この支持部材２０に支持されるフラットパネルディスプレイＢａが適切な高さ位置となるように調正して当該樋状保持材１２の支持孔１２ｄ、１２ｄ間に該支持プレート２１の孔２１ａを位置づけるようになすと共に、この各孔１２ｄ、２１ａ間に適宜の連結具１７を挿通して両者を組み付け、組外し可能に組み付けてあり、この図示例にあっては支持孔１２ｄ及び孔２１ａに挿通されるボルト１７ａと、支持孔１２ｄから突き出された当該ボルト１７ａの突き出し部に螺装されて当該柱状体１０に支持部材２０を組み付けるナット１７ｂとによって連結具１７を構成してある。
【００５１】
このように柱状体１０、１０間に上下方向に移動可能に備えられ、しかも、必要に応じて左右方向に組み付けプレート２１を移動組み付け得る支持部材２０における当該組み付けプレート２２を用いて各種ＡＶ機器ＢにおけるフラットパネルディスプレイＢａを、そのディスプレイ面を前面側に向けるようにして取り付けてある。かかるフラットパネルディスプレイＢａの組み付けは、当該フラットパネルディスプレイＢａを支持部材２０に対して組み付け、組外し可能に適宜の連結具２４によって組み付けるようにしてあり、この図示例にあっては、この連結具２４の典型例として前記孔２２ａに挿通したボルトを用意し、この孔２２ａに挿通したボルトをフラットパネルディスプレイＢａの背面側に備えられている取付プレート等に備えられている雌ねじ孔に螺挿して当該フラットパネルディスプレイＢａを支持部材２０に取り外し可能に組み付けてある。
【００５２】
かかる構成からなるＡＶ機器設置用装置Ａは、ＡＶ機器Ｂにあって嵩張り、かつ、重量を有して取扱い難いフラットパネルディスプレイＢａを壁５０に一体的に備えられている当該装置Ａによって、壁面に沿うように、安全、かつ、確実に設置することができ、ＡＶ機器Ｂの設備まわりにおける床スペースを効率良く用いることができる。
【００５３】
また、ＡＶ機器ＢにおけるＤＶＤプレーヤ、ビデオテープレコーダ等の情報再生装置におけるディスプレイを除く機器部分、オーディオアンプ等のディスプレイを除いた各機器部分を収納したり、各種記録済み記録媒体等の収納手段として前記柱状体１０、１０間にボックス状収納体４０を組み付けることができる。
【００５４】
かかるボックス状収納体４０は、前記柱状体１０、１０間に入れ込まれて、当該柱状体１０、１０間の床Ｃ部に都合良く設置し得るものであれば、いかなる態様の収納体であっても、また、いかなる素材によって構成してあってもよく、例えば、この図示例では、下端の後端が欠切部４１ｂとされている一対の側板４１、４１の上端に天板４３が組み付けてあり、しかも、この欠切部４１ｂを除く側板４１の後端に背板４２が設けてあると共に、この各側板４１に比較的下部側で当該側板４１、４１間をわたるように仕切り板４４が設けてあり、この側板４１と仕切り板４４の前面を前板４５によって塞いだ構成としてある。また、このボックス状収納体４０は、ＡＶ機器Ｂにおけるコード類やケーブル類等６０の通し穴４１ａが側板４１に、また、同様の通し穴４２ａを背板４２及び仕切り板４４に跨るように設けてある。
【００５５】
このように構成されるＡＶ機器設置用装置Ａにあって、当該装置Ａを構成する溝状柱本体部１１を壁５０に止着用意し、この溝状柱本体部１１における支持部材２０にフラットパネルディスプレイＢａを組み付け、また、ボックス状収納体４０に各種ＡＶ機器Ｂを設置した状態で、これらの各ＡＶ機器Ｂに必要とされるコード類やケーブル類等６０を接続すると共に、このコード類やケーブル類６０を前記通し穴１５を構成する欠切部１１ｃ、通し穴４１ａ、４２ａを介して通し空間１４を構成する溝状
柱本体部１１内に案内し、このコード類やケーブル類等６０の納め入れられた溝状柱本体部１１における溝状部の前面側を塞ぐように化粧材１３を当該溝状柱本体部１１に組み付けることによって、これらのコード類やケーブル類等６０を通し空間１４内に都合良く取り入れた状態で各種ＡＶ機器Ｂを設置することができる。
【００５６】
また、かかる設置ＡＶ機器Ｂを取り替えたり、模様替えをする場合等にあっては、このＡＶ機器設置用装置Ａにおける前記化粧材１３を溝状柱本体部１１から取り外した状態でフラットパネルディスプレイＢａやボックス状収納体４０に設置されている各種のＡＶ機器Ｂを入れ替え、そのコード類やケーブル類等６０を接続し直した状態で、前記化粧材１３を組み付け、ボックス状収納体４０を柱状体１０、１０間に納め入れてなすことができる。
【図面の簡単な説明】
【００５７】
【図１】典型的なＡＶ機器設置用装置の部品分離斜視図
【図２】同ＡＶ機器設置用装置を用いている状態を示す正面図
【図３】同平断面図
【符号の説明】
【００５８】
Ａ  ＡＶ機器設置用装置
Ｂ  ＡＶ機器
Ｂａ  フラットパネルディスプレイ
Ｃ  床
１０  柱状体
１４  通し空間
１５  通し穴
２０  支持部材
４０  ボックス状収納体
５０  壁
【図１】
0004562654.tif 000002
【図２】
0004562654.tif 000003
【図３】
0004562654.tif 000004